(57)【要約】  偏光を放射する反射性電極または反射性裏打ち材、直線偏光子および／または帯域フィルタを含む有機発光装置（ＯＬＥＤ）は、ＯＬＥＤからの実質的にすべての光を偏光子および／または帯域フィルタを通過させ、周辺光を実質的に吸収するように組み合わされる。着色された直線偏光子は直線偏光子と帯域フィルタの機能を提供する。光分散要素も含めることができる。
2007503091.tif 000002
【特許請求の範囲】
【請求項１】
帯域フィルタと、直線偏光子と、光エミッタを備えた有機発光装置と、を含み、前記直線偏光子が前記帯域フィルタに隣接し、前記光エミッタが偏光を放射することを特徴とする発光装置。
【請求項２】
前記偏光が所定のスペクトルを有し、前記帯域フィルタが前記所定の光を通過させ、前記所定のスペクトル外の光を吸収する請求項１に記載の装置。
【請求項３】
前記帯域フィルタと前記直線偏光子が別々に形成されている請求項２に記載の装置。
【請求項４】
前記帯域フィルタと前記直線偏光子が単一の膜である請求項２に記載の装置。
【請求項５】
前記単一の膜が着色された偏光膜である請求項４に記載の装置。
【請求項６】
前記有機発光装置の前部表面から放射される光の角度放射パターンを変更する要素をさらに含む請求項２に記載の装置。
【請求項７】
前記要素と、前記帯域フィルタと、前記直線偏光子とが単一の膜である請求項６に記載の装置。
【請求項８】
前記偏光が赤、緑および青の成分を含む請求項１に記載の装置。
【請求項９】
前記有機発光装置の前部表面から放射される光の角度放射パターンを変更する要素をさらに含む請求項１に記載の装置。
【請求項１０】
前記要素が偏光を保存するホログラフィック膜であり、前記ホログラフィック膜が前記有機発光装置と前記直線偏光子との間に設けられている請求項９に記載の装置。
【請求項１１】
前記要素が低反射性・低分散性のホログラフィック拡散膜であり、前記直線偏光子が前記有機発光装置と前記ホログラフィック拡散膜との間に設けられている請求項９に記載の装置。
【請求項１２】
前記光エミッタが液晶エミッタである請求項１に記載の装置。
【請求項１３】
前記光エミッタがネマチック液晶エミッタである請求項１２に記載の装置。
【請求項１４】
前記偏光が面偏光である請求項１に記載の装置。
【請求項１５】
少なくとも１つの反射防止フィルムをさらに含む請求項１に記載の装置。
【請求項１６】
光学補償膜をさらに含む請求項１に記載の装置。
【請求項１７】
リフレクタをさらに含み、前記光エミッタが前記リフレクタと前記直線偏光子との間に設けられている請求項１に記載の装置。
【請求項１８】
請求項１の発光装置を含むことを特徴とする背面投影システム。
【請求項１９】
有機発光装置を励起させて所定のスペクトルを有する面偏光を生成し、前記面偏光を直線偏光させ、前記面偏光のスペクトル外の光を吸収することを含むことを特徴とする映像を提供する方法。
【請求項２０】
前記直線偏光させること及び前記吸収させることが前記有機発光装置から放射されるものではない光を実質的に減衰させる請求項１９の方法。
【請求項２１】
前記減衰された光が周辺光を含む請求項２０の方法。
【請求項２２】
前記面偏光を画面を視認できるような方向から離れるように反射し、前記反射光を画面が視認できるような方向に伝播することをさらに含む請求項１８の方法。
【請求項２３】
帯域フィルタと、光エミッタを備えた有機発光装置とを含み、前記光エミッタが狭いスペクトルを有する光を放射し、前記帯域フィルタが前記狭いスペクトルの光を通過させるとともに前記狭いスペクトル外の光を吸収することを特徴とする発光装置。
【請求項２４】
直線偏光子をさらに含む請求項２３に記載の装置。
【請求項２５】
前記帯域フィルタと前記直線偏光子が別々に形成されている請求項２４に記載の装置。
【請求項２６】
前記帯域フィルタと前記直線偏光子とが単一の膜である請求項２４に記載の装置。
【請求項２７】
前記単一の膜が着色された偏光膜である請求項２６に記載の装置。
【請求項２８】
有機発光装置の前部表面から放射される光の角度放射パターンを変更する要素をさらに含む請求項２４に記載の装置。
【請求項２９】
前記要素と、前記帯域フィルタと、前記直線偏光子とが単一の膜である請求項２８に記載の装置。
【請求項３０】
前記狭いスペクトルが、赤、緑、青の成分を含む請求項２３に記載の装置。
【請求項３１】
前記赤、緑、青の成分が、それぞれ数ｎｍの帯域幅を有する請求項３０に記載の装置。
【請求項３２】
前記狭い帯域幅が前記光エミッタの励起発光を起こすフィードバックにより得られる請求項３０に記載の装置。
【請求項３３】
前記有機発光装置の前部表面から放射される光の角度放射パターンを変更する要素をさらに含む請求項２３に記載の装置。
【請求項３４】
前記要素が偏光を保存するホログラフィック拡散膜であり、前記ホログラフィック膜が前記有機発光装置と前記直線偏光子との間に設けられている請求項３３に記載の装置。
【請求項３５】
前記要素が低反射性・低分散性のホログラフィック拡散膜であり、前記直線偏光子が前記有機発光装置と前記ホログラフィック拡散膜との間に設けられている請求項３３に記載の装置。
【請求項３６】
前記光エミッタが液晶エミッタである請求項２３に記載の装置。
【請求項３７】
前記光エミッタがネマチック液晶エミッタである請求項３６に記載の装置。
【請求項３８】
前記光が面偏光である請求項２３に記載の装置。
【請求項３９】
リフレクタをさらに含み、前記光エミッタが前記リフレクタと前記帯域フィルタとの間に設けられている請求項２３に記載の装置。
【請求項４０】
少なくとも１つの反射防止フィルムをさらに含む請求項３９に記載の装置。
【請求項４１】
光学補償膜をさらに含む請求項２３に記載の装置。
【請求項４２】
請求項２３の発光装置を含む背面投影システム。
【請求項４３】
有機発光装置を励起させて狭いスペクトルを持つ偏光を作り出し、反射された光をフィルタリングするとともに偏光を狭いスペクトル外の光が吸収されて画面が見えるような方向に伝播することを含むことを特徴とする映像を提供する方法。
【請求項４４】
直線偏光子と、リフレクタと、帯域フィルタと、光エミッタを備えた有機発光装置とを含み、前記偏光子と前記帯域フィルタの少なくとも１つが前記リフレクタと前記光エミッタとの間に設けられていることを特徴とする発光装置。
【請求項４５】
光エミッタを備えた有機発光装置を含むプロジェクタと、直線偏光子を含む投影スクリーンと、プロジェクタと投影スクリーンとの間の投影光学機器とを含み、前記光エミッタを選択的に励起して投影光学機器によって映像が投影スクリーン上に投影されることを特徴とする投影システム。
【請求項４６】
前記投影スクリーンがさらに帯域フィルタを含む請求項４５に記載のシステム。
【請求項４７】
前記投影スクリーンが光の角度放射パターンを変更する要素をさらに含む請求項４６に記載のシステム。
【請求項４８】
前記投影スクリーンが光の角度放射パターンを変更する要素をさらに含む請求項４５に記載のシステム。
【請求項４９】
前記要素が着色されたマイクロ光学膜と着色されたレンズ状アレイの少なくとも１つを含む請求項４８に記載のシステム。
【請求項５０】
前記投影スクリーンが光学補償膜をさらに含む請求項４５に記載のシステム。
【請求項５１】
前記光エミッタが狭い発光スペクトルを有する請求項４５に記載のシステム。
【請求項５２】
前記投影スクリーンが背面投影スクリーンである請求項４５に記載のシステム。
【発明の詳細な説明】
【技術分野】
【０００１】
本発明は一般的には偏光子および／またはフィルタを含む偏光有機発光装置（ＯＬＥＤ）、より詳細には視認性を強化するために実質的に周辺光を減衰させる偏光子および／またはフィルタを含むＯＬＥＤ、さらに詳細には映像の可視範囲を変えるために使用される光分散部品を組み合わせて実質的に周辺光を減衰させて視認性を強化する偏光子および／またはフィルタを含むＯＬＥＤに関する。
【背景技術】
【０００２】
放射型電子発光装置はさまざまな環境下で多くの異なる装置で使用される。これらの環境のいくつかでは、これらの装置により生み出される映像が直射日光など高レベルの照明光のもとで見る場合に消失（ｗａｓｈｅｄ  ｏｕｔ）することがある。これは照射光がディスプレイの前面で反射されるか、表示された映像のコントラストがディスプレイ中の構造物によって減じるように反射される時に起きる。これはＯＬＥＤに付随する特有の問題である。なぜならば、有機発光装置（ＯＬＥＤ）は通常、高反射性カソードと屈折率が大幅に異なる表面インターフェースで組み立てられるためである。この高反射性カソードと表面インターフェースが周辺光のほとんどを反射させ、表示された映像を周辺光が消失させる。
【０００３】
この画面消失問題に対処するための１つの方法は、１つの円偏光相を伝播し、かつもう１つの円偏光相を吸収するように前部表面に円偏光子を積層することである。周辺光の反射は、この円偏光子により実質的に減少される。なぜならば、１つの円偏光相の光は偏光子を通過しながら吸収され、カソードに向かって進行しながら金属カソードおよび他の反射要素から反射され、光はディスプレイ中で反射要素から離れながら円偏光子により吸収されるからである。このようにして周辺光の２つの偏光相が円偏光子により吸収されることから映像は周辺光によって消失しない。不都合なことに、現在入手可能なＯＬＥＤは両方の偏光相の光を放射し、円偏光子がＯＬＥＤにより生み出される光の２つの偏光相の１つを吸収する。ディスプレイの輝度を円偏光子なしの装置と同じレベルに保つためには、ＯＬＥＤは追加の光を放射するように作らなければならない。この付加的な光はＯＬＥＤに追加電力を与えることによって生み出されるが、これはＯＬＥＤの寿命を短くする。さらに、もしＯＬＥＤがバッテリー駆動の装置の一部である場合、バッテリー電力は急速に（たとえば、円偏光子がない場合は少なくとも２倍の速度で）消費される。
【０００４】
画面消失問題に対処するためにとられるもう１つの方法は、極端に薄い金属カソード、つまりＯＬＥＤを通る効率的な通過電流に十分な導電性を与える透明の導電性材料により裏打ちされたほぼ透明の金属カソードを含む透明なＯＬＥＤ構造を用いることである。この薄い金属カソードと透明な導電性材料は、黒色の光吸収性の高い材料で裏打ちされる。吸収性材料は、消失問題を解決するように、ディスプレイ上の入射周辺光の大部分を吸収する。しかし、ＯＬＥＤ装置は反射板によって裏打ちされる代わりに吸収性材料で裏打ちされることから、ＯＬＥＤの発光層から放射される光のほぼ半分だけが映像を形成するために利用される。この光の損失は、発光層が前向きと後向きの両方の光を放射するために発生する。したがって、ディスプレイの積層物を反射カソードを備えた装置と同じレベルに保つためには、ＯＬＥＤは追加光を放射するように作らなければならず、円偏光子を含む場合に起きるのと同じ欠点を生ずる。
【０００５】
同様の画面消失問題は、さまざまな周辺光条件下の大型スクリーンで映像を見る投影システムでも起きる。不都合なことに、画面スクリーンの単位面積当たりに与えられる光エネルギーの量は直視ディスプレイシステムを大幅に下回る。ＯＬＥＤに対する励起電流を増やすことによって、ＯＬＥＤにより大きな光エネルギーを生み出させることもできる。増強した励起電流はＯＬＥＤの寿命を著しく短くし、かつその他の問題も生じさせる。消失問題を改善するために行われている１つの方法は、ビーズ埋め込みスクリーンを使用することである。そうしたスクリーンは黒色マトリクス中にポリマーまたはガラスのビーズを埋め込むことにより組み立てられる。ビーズは平坦な表面を持たないことから、見る人に対する鏡面反射を減少させる。ビーズとビーズの間の領域は光を吸収する黒色材料で埋められる。不都合なことに、そうしたスクリーンを用いるシステムのアパーチャーは１００％を大きく下回り、ＯＬＥＤにより放射される光の大きな損失をもたらす。
【特許文献１】発見できず
【発明の開示】
【発明が解決しようとする課題】
【０００６】
したがって、当分野ではディスプレイ映像の消失を防止するためにＯＬＥＤの発光層により放射される光の大部分を失うことなくディスプレイからの周辺光の反射を減少または排除する方法が強く求められている。
【課題を解決するための手段】
【０００７】
本発明の一態様は、帯域フィルタと、直線偏光子と、光エミッタを備えた有機発光装置とを含む発光装置を提供することにある。直線偏光子は帯域フィルタに隣接し、光エミッタは偏光を放射する。
【０００８】
本発明の別の態様では、所定のスペクトルを有する面偏光を作り出し、面偏光を直線偏光し、面偏光のスペクトル外の光を吸収する平面を作るために有機発光装置を励起することを含む映像を提供する方法を提供する。
【０００９】
本発明の別の態様では、帯域フィルタと光エミッタを備えた有機発光装置を含む発光装置を提供する。この光エミッタは狭いスペクトルの光を放射し、帯域フィルタは狭いスペクトルの光を伝播するとともに狭いスペクトル外の光を吸収する。
【００１０】
本発明の別の態様では、偏光した狭いスペクトルの光を作り出し、反射光をフィルタリングし、かつ偏光を狭いスペクトル外の光を吸収して画面を視認できるような方向に伝播する有機発光装置を励起することを含む、映像を提供する方法を提供する。
【００１１】
本発明の別の態様では、直線偏光子、リフレクタ、帯域フィルタ、および光エミッタを備えた有機発光装置を含む発光装置を提供する。偏光子と帯域フィルタの少なくとも１つはリフレクタと光エミッタの間に置かれる。
【００１２】
本発明の別の態様では、光エミッタを備えた有機発光装置を含むプロジェクタ、投影スクリーン、およびプロジェクタと投影スクリーンの間に直線偏光子と投影光学機器を含む投影システムを提供する。光エミッタは、投影光学機器により投影スクリーン上に映像を作り出すように選択的に励起される。
【発明を実施するための最良の形態】
【００１３】
帯域フィルタおよび／または直線偏光子を含む偏光有機発光装置（ＯＬＥＤ）は、望ましくない周辺光の反射を実質的に低減または排除するように組み立てられる。図１は、面偏光発光ＯＬＥＤ  １０２、反射電極または反射裏打ち材、直線偏光膜１０４、および前部表面に積層または別の方法により付着された帯域フィルタ１０６を含む、そうした装置１００の１つの例示的装置を示す。あるいは、偏光膜１０４と帯域フィルタ１０６はＯＬＥＤ  １０２の偏光放射と偏光膜１０４の偏光軸の関係を維持するように装置１００から一定の距離を離して構造物中におさめることもできる。分離された要素の表面反射を減らすために任意の反射防止または抗グレア性コーティングを使用することもできる。直線偏光膜１０４は直線的に偏光の１つの相を伝送するとともにその他の相を吸収する。偏光膜１０４は、ＯＬＥＤ  １０２によって放射される偏光が偏光膜１０４を通過して実質的に吸収されないように調節される。直交する直線偏光相の光は、実質的に偏光膜１０４により吸収される。帯域フィルタ１０６は、ＯＬＥＤ  １０２により放射されるスペクトル放射バンドが帯域フィルタ１０６中を伝送される時に実質的に吸収されず、他のすべての波長の光が帯域フィルタ１０６により実質的に吸収されるような形状とされる。偏光および帯域フィルタ機能は、光学スタック中の別の膜として組み立てるか、着色偏光膜などの単一の膜に組み入れることもできる。ＯＬＥＤ  １０２の発光層から放射される光の偏光軸の方向は、ディスプレイを見る人に最適の視認特性を提供するために選定する。たとえば、偏光軸は見る人が偏光サングラスを着用できるように垂直に調節することもできる。
【００１４】
本発明の別の例示的実施形態では、偏光膜１０４または帯域フィルタ１０６のいずれかだけが、他の２つの要素なしにディスプレイの前部表面に取りつけられる。たとえば、もしＯＬＥＤ  １０２がスペクトル的に広い赤、緑、青の発光帯域を有するフルカラーのピクセル型ディスプレイであれば、帯域フィルタ１０６の使用は必ずしも有用ではない。しかし、この場合には直線偏光膜１０４だけの使用でもディスプレイの視認性を大幅に改善する。逆に、もしＯＬＥＤ  １０２がスペクトル的に狭い（たとえば、数ナノメートル）赤、緑、青の発光帯域を有するフルカラーのピクセル型ディスプレイであれば、帯域フィルタ１０６の使用は周辺光を実質的に吸収してディスプレイの視認性を大幅に改善する。この装置に使用されている構造からは狭い発光帯域が得られる。たとえば、光エミッタ中にスペクトル的に狭い発光を作るためには、誘導放射を起こさせるフィードバック素子が用いられる。
【００１５】
あるいは、直線偏光膜１０４および帯域フィルタ１０６は、ディスプレイからある程度の距離を置いて構造物の中に組み込まれるか、ＯＬＥＤ  １０２から発せられる偏光と直線偏光膜１０４の偏光軸の関係が維持されるように配置される。任意には、分離された素子の表面反射を減ずるために、反射防止または抗グレア性コーティングが用いられる。そうしたコーティングは、コーティングを通過する光の偏光位相に悪影響を及ぼしてはならない（すなわち、偏光位相は維持されなければならない）。
【００１６】
ほとんどの偏光膜は、膜の偏光軸と同一方向の異常（Ｅｘｔｒａｏｒｄｉｎａｒｙ）複屈折軸と正の屈折率を持つ単軸の複屈折である。この場合、ＯＬＥＤ／偏光膜の組み合わせによるオフノーマルな視認特性は、光学スタックのＯＬＥＤと単軸複屈折膜の偏光子の間にディスプレイ面に対して垂直な異常軸の正の複屈折値を持つ膜を入れることによって改善される。
【００１７】
さらに、膜のような任意の光分散要素１０８、光学スタックその他ＯＬＥＤの前部表面から放射される光の角度放射パターンを変更するための装置を含めることもできる。そうした膜、光学スタックまたはその他の装置をＯＬＥＤと直線偏光膜１０４（例、偏光子）の間に入れる場合は、ＯＬＥＤから放射される光の偏光を実質的に保存するように組み立てる。たとえば、偏光を保存するホログラフィック拡散膜がＯＬＥＤと偏光膜１０４の間に入れる。そうした膜、光学スタックまたはその他の装置が直線偏光膜のビューワ側に置かれる場合、ＯＬＥＤから放射される光の偏光は保存する必要がない。代わりに低反射性で低拡散性の膜、光学スタックまたはその他の装置を使用することができる。たとえば、ＯＬＥＤの角度視認性を変えるための任意の光分散要素１０８は、偏光膜１０４と帯域フィルタ１０６の間に置かれる。
【００１８】
あるいは、帯域フィルタ１０６を任意の光分散要素１０８と組み合わせて単一の光学要素としてビューワと偏光膜１０４の間に使用する。たとえば、任意の光分散要素１０８を着色して任意の要素に帯域機能を形成することもできる。図９はこの光分散要素と帯域フィルタ９０２を組み合わせたものを含む背面投影テレビスクリーンシステム９００を示す。光分散要素と帯域フィルタ９０２を組み合わせたものは、着色されたポリカーボネートマイクロレンズアレイ（またはレンズ状アレイあるいはマイクロレンズ／レンズ状アレイの組み合わせ）で組み立てることができる。ポリカーボネートのマイクロレンズアレイは光を屈折することによって光分散機能を提供し、また１以上の着色剤がＯＬＥＤ  １０２により放射されるスペクトルに含まれない光（たとえば、周辺光）を吸収する帯域フィルタ機能を提供する。システム９００により反射される周辺光の量をさらに減らすために任意の抗反射膜９０４を含めることもできる。さらに、ＯＬＥＤ  １０２の放射スペクトルを狭くすることにより、ＯＬＥＤ  １０２により放射される光を追加吸収することなしにさらに多くの周辺光を吸収することもできる。ＯＬＥＤ  １０２により発生する光は投影光学機器９０６により投射される。そうした投影システムにおいてはＯＬＥＤ  １０２の寸法はスクリーンの寸法（たとえば、ＯＬＥＤは１．２７−５．０８ｃｍ［０．５−２．０インチ］）より相当小さく、一方偏光膜１０４ならびに光分散要素と帯域フィルタ９０２の組合わせ物は１２７ｃｍ（５０インチ）以上である。
【００１９】
別の代替物は、偏光膜１０４と任意の光分散要素１０８を単一の光学要素に組み合わせるものである。たとえば、偏光膜１０４はレーザー処理して偏光膜１０４に光分散機能を付け加える。
【００２０】
さらに別の代替物は、偏光膜１０４と帯域フィルタ１０６を単一の光学要素に組み合わせるものである。たとえば、偏光膜１０４を着色して帯域機能を偏光膜１０４に付加するか、従来型の着色偏光子を使用する。
【００２１】
さらに別の代替物は、偏光膜１０４、帯域フィルタ１０６および任意の光分散要素１０８を単一の光学要素に組み合わせるものである。たとえば、図１０はこの組み合わせた偏光子／帯域フィルタ／光分散要素１００２を含む背面投影テレビスクリーンシステム１０００を示す。この偏光子／帯域フィルタ／光分散要素１００２は１以上の偏光膜により組み立てることができる（たとえば、ヨウ素またはその他の適切な物質を含浸させ、次いで延伸して偏光子の偏光要素を形成した膜）。次にこの偏光要素は２つの基板の間に積層される。これらの基板は、たとえばトリアセチルセルロース（ＴＡＣ）やセルロースアセテートブチレート（ＣＡＢ）など適切な材料から作られる。次に、レーザー処理（アブレーション）、型押しまたは別の適切な方法を用いて基板の１つの中に光分散特性を形成する。最後に、１以上の着色剤を基板に適用し、偏光子／帯域フィルタ／光分散要素１００２を完成する。システム１０００により反射される周辺光の量をさらに減らすために、任意の抗反射膜９０４を含めることもできる。さらに、ＯＬＥＤ  １０２の放射スペクトルを狭くし、かつ帯域フィルタ１０６の吸収スペクトルを調節することにより、さらに多くの周辺光を吸収させることもできる。この狭い放射スペクトルは、ＯＬＥＤ  １０２により放射されるより多くの光を吸収することなく、より多くの周辺光スペクトルを吸収できることから有利である。
【００２２】
有機発光装置は光放射性の要素または層を含む。この光エミッタはカラミチック液晶（ネマチック液晶およびスメクチック液晶）およびその他適当な異方性発光物質などの液晶発光材料から作られる。そうした材料から放射される光は、光エミッタの分子を均一に配列させることにより面偏光となる。
【００２３】
図２は直線偏光子と帯域フィルタと組み合わせた例示的ＯＬＥＤを示す。図２の装置２００は、透明基板２０２、および液晶を配列させるための表面レリーフを上乗せした格子構造２０４、インジウム−すず酸化物またはその他適当な材料の透明アノード２０６、ガラス相またはガラス状ポリマーまたは別の適当な材料の中に化学的に架橋したもののいずれかの中に配列させたカラミチック液晶分子核２１０（端部側）のホール輸送層２０８、カラミチック蛍光物質または配列させたカラミチック母材またはその他適当な材料中に溶解させたカラミチック発光材料または異方性発光蛍光物質の分子核２１４（端部側）を含む発光層２１２、を含む。発光層２１２中のカラミチック分子核２１４は、ガラス相の中またはガラス状ポリマー中に化学的に架橋させることもできる。ホール輸送層２０８中のカラミチック分子核２１０の配列は、下層のアノード層２０６の表面形状効果との相互作用により達成される。カラミチック相の削ぎおよび曲げ弾性定数は、分子を第１表面２１６中の畝に並行に配向させたものは他の方向の配列よりもエネルギー的に好ましい。発光層２１２中の液晶材料は次に界面２１８における発光分子核２１４と電子輸送分子核２１０の間の相互作用により配列される。別の実施形態においては、発光層２１２がホール輸送および発光機能の両方を果たすことによりホール輸送層２０８を省略することもできる。別の実施形態においては、第１表面２１６の表面形状効果は、第２表面２１８が同様の重畳レリーフを持つように電子輸送層２０８を通って運ばれる。発光層２１２中の分子核２１４の配列は、第２表面２１８との相互作用により達成される。この場合、ホール輸送層２０８は液晶または非液晶性のものとすることができる。
【００２４】
図２の装置２００の利点は、配列層を使用する代わりに下層（単一または複数）の形状効果との相互作用によって分子配列が達成できることである。したがって、配列層を含めることによる抵抗エネルギー損失を回避できる。
【００２５】
図２の装置２００はまた、電子輸送層２２０、電子注入層２２２、反射性金属カソード２２４、密封カバー２２６、および反射層２２６を含む。あるいは、装置２００はカソード２２４を最初に格子構造の２２４の上に組み立て、分子配列または格子からのレリーフ構造が中間層（たとえば、電子輸送層２２０および電子注入層２２２）を通って伝播するように逆転させて、カラミチックオーダーを有する発光層２１２をレリーフ構造により配列させることもできる。図２の最終層は、直線偏光子２２８および帯域フィルタ２３０である。偏光子２２８は配列させて、伝送軸が発光層２１２中の分子２１４の長軸と合うようにし、これにより装置２００により放射される偏光が偏光子２２８により実質的に吸収されないようにする。
【００２６】
図３はエミッタ分子が表面形状効果により配列されているものを示す。図３の部分装置３００は、液晶配列構造３０２、電極３０４、第１配列可能層３０６および第２配列可能層３０８を含む。フィードバック構造３０２は表面形状効果を持つフォトレジスト格子とすることができる。フィードバック構造３０２は次にインジウム−すず酸化物電極を被覆して電極３０４を形成する。被覆厚さは良好な電気接触を与えるのに十分、かつ電極３０４がフィードバック構造３０２が有するのと同程度の表面形状効果を持つように十分に薄いものとする。電極３０４の表面形状効果は、第１配列可能層３０６の分子３１０を均一に配列させるようにする。第１配列可能層３０６の配列は次に、第１および第２配列可能層３０６と３０８の分子間作用を通して、テンプレート効果により第２配列可能層３０８の分子３１０を配列させるように働く。このテンプレート効果はさらなる配列可能層（図示なし）を均一に配列させるためにも使用することができる。図３は配列可能層を均一に配列させる層としての電極３０４の形状を示すが、配列可能層に隣接するいかなる層もエミッタを配列させる形状効果を有する。これが別の配列層を含めることなく装置の総合効率を改善するエミッタの形状効果配列を提供することになる。
【００２７】
図４は表面形状効果により配列されたエミッタ分子を示す。図４の部分装置４００は、基板４０２、電極４０４、第１配列可能層４００は３０６および第２配列可能層３０８を含む。基板４０２はいかなる基板でもよい。この基板は電極４０４を形成するためにインジウム−すず酸化物で被覆する。被覆厚さは、電極４０４が図３の電極４０４と同様の表面形状効果を持つようにするために変える。たとえば、電極４０４はインジウム−すず酸化物を望ましいパターンに沈着させ（たとえば、インジウム−すず酸化物を沈着させてフォトレジストマスクを望ましいパターンに形成し、インジウム−すず酸化物をエッチングし、フォトレジストマスクを除去する）、次いで追加のインジウム−すず酸化物を沈着させることによって組み立てることができる。追加のインジウム−すず酸化物の沈着は良好な電気接触を与えるのに十分に厚くするが、電極４０４が下層のインジウム−すず酸化物が持つのと同様の表面形状効果を持つように十分に薄くする。代わりに、インジウム−すず酸化物層を沈着させ、次いで時間をかけたエッチングなどにより薄くして電極４０４を形成してもよい。適切な形状効果を持つ電極４０４を製造する他の方法を用いることもできる。
【００２８】
電極４０４の形状は、第１配列可能層３０６の分子３１０を均一に配列するようになっている。第１配列可能層３０６の配列は次にテンプレート効果により第２配列可能層３０８の分子３１０の配列を働きかける。テンプレート効果はさらなる配列可能層（図示なし）を均一に配列するために利用できる。図４は電極４０４の形状を配列可能層を均一に配列する層として示しているが、配列可能層に隣接する層はすべてエミッタを配列する形状効果を有する。これが別の配列層を含めることなく装置の総合効率を改善するエミッタの形状効果配列を提供することになる。
【００２９】
図５は液晶フォトアライメント層により液晶の配列が達成される本発明の別の実施形態を示す。このタイプの層の例は米国特許出願第２００３／００２１９１３号および第２００３／００９９７８５号にともに「Ｌｉｑｕｉｄ  Ｃｒｙｓｔａｌ  Ａｌｉｇｎｍｅｎｔ  Ｌａｙｅｒ」と題して記述されており、これらの全体を本発明に援用する。図５の装置５００は透明基板５０２、インジウム−すず酸化物（ＩＴＯ）または類似の材料から作られる透明アノード５０４、液晶光配列層５０６、および配列されたカラミチック液晶分子核５１０（端部側）を含むホール輸送層５０８を含む。ホール輸送材料は液晶ガラス相を含むか、化学的に架橋された液晶分子を含む。装置５００はさらに、配列されたカラミチック液晶分子核５１４（端部側）または配列されたカラミチック母材に溶解して配列された異方性発光蛍光物質などのエミッタ層５１２を含む。エミッタ層５２１はまた、液晶ガラス相を含むか、化学的に架橋された液晶分子核５１０を含む。装置５００はまた、電子輸送層５１８、電子注入層５２０、反射性金属カソード５２２、密封カバー５２４、直線偏光子５２６、およびトリプル帯域フィルタ５３０も含む。偏光子５２６はその伝送軸を分子５１４の長軸と合わせて、装置５００により放射される偏光が偏光子５２６によって実質的に吸収されないように配列される。
【００３０】
図６は直線偏光子６７０および帯域フィルタ６８０を用いて改善された視認特性を有するフィードバック強化ＯＬＥＤ（ＦＥ−ＯＬＥＤ）装置６００を含む別の例示的実施形態を示す。装置６００はインジウム−すず酸化物（ＩＴＯ）または他の適切な材料により作られた透明アノード６１０、液晶光配列層６１５、および配列されたカラミチック液晶分子核６２５（端部側）を含むホール輸送層６２０を含む。ホール輸送材料は液晶ガラス相または化学的に架橋された液晶分子を含む。装置６００はさらに配列されたカラミチック液晶分子核６３５（端部側）を含むエミッタ層６３０を含む。カラミチック液晶エミッタは、配列されたカラミチック母材または別の適切な材料に溶解して配列された異方性発光蛍光物質を含んでもよい。さらに、エミッタは単一のカラミチック成分であるカラミチック液晶混合物、または異方性蛍光発光物質をドープしたカラミチック液晶混合物母材としてもよい。エミッタ層６３０はまた、液晶ガラス相を含むか、化学的に架橋された液晶分子核を含んでもよい。装置６００はまた、電子輸送層６４０、電子注入層６４５、および薄い金属カソード６５０およびＩＴＯまたはその他適切な材料から作られる透明の導電性カソード裏打ち材を含む透明カソード組み立て物も含む。上記の層は第１および第２フィードバック要素６６０、６６５の間にサンドイッチされる。第１および第２のフィードバック要素６６０、６６５は周期的および連続的に変化する屈折率を有する層である。第１フィードバック要素６６０は実質的にそこに入射する光を反射し、装置６００の平面の法線に伝播する。第２フィードバック要素６６０はそこに入射する一部の光を装置の法線に伝播して通過させる一方、残りを反射する。第１および第２フィードバック構造６６０、６６５から反射された光は、エミッタ層６３０の中を数回行ったり来たりしてさらなる光放射を刺激する。フィードバック構造６６５から発せられた光は直線偏光子６７０および帯域フィルタ６８０を通過し、背面投影スクリーン６９０に突き当たる。スクリーン６９０は接着層６９５を用いて帯域フィルタ６８０の前面に接着されるか、接着させずに帯域フィルタ６８０に隣接させる。偏光子６７０はその伝送軸を分子６３５の長軸と合わせ、装置６００により放射される偏光が偏光子６７０の中を実質的に吸収されずに通過するようにする。図２および図５の装置２００、５００と同様に、帯域フィルタ６８０の前面に当たってスクリーン６９０を通過する周辺照明光の大部分は帯域フィルタ６８０または偏光子６７０に吸収される。かくして消失の問題は軽減される。本発明に有用な付加的なＦＥ−ＯＬＥＤ装置は、米国特許出願第１０／４３４，３２６号（ＤＩＳＰＬＡＹ  ＤＥＶＩＣＥＳ  ＵＳＩＮＧ  ＦＥＥＤＢＡＣＫ  ＥＮＨＡＮＣＥＤ  ＥＭＩＴＴＩＮＧ  ＤＩＯＤＥ）、および第１０／３１９，６３１号（ＦＥＥＤＢＡＣＫ  ＥＮＨＡＮＣＥＤ  ＬＩＧＨＴ  ＥＭＩＴＴＩＮＧ  ＤＥＶＩＣＥＳ）、第１０／４３１，８８５号（ＬＩＧＨＴＩＮＧ  ＤＥＶＩＣＥＳ  ＵＳＩＮＧ  ＦＥＥＤＢＡＣＫ  ＥＮＨＡＮＣＥＤ  ＬＩＧＨＴ  ＥＭＩＴＴＩＮＧ  ＤＩＯＤＥ  ＡＮＤ  ＦＥＥＤＢＡＣＫ  ＥＮＨＡＮＣＥＤ  ＬＩＧＨＴ  ＥＭＩＴＴＩＮ���  ＤＥＶＩＣＥ）に開示（２００３年５月８日出願）されており、これら出願それぞれの開示を本発明に援用する。
【００３１】
図７は直線偏光子と帯域フィルタを含む別の実施形態を示す。図７の装置７００は、直線偏光子と帯域フィルタの組み合わせを利用することにより改善された視認特性を有する。装置７００は、透明基板７０２、および格子構造７０４を含み、その中にはフィードバックとカップリング構造の両方に対応する表面レリーフ、透明アノード７０６（たとえば、インジウム−すず酸化物）、ホール注入層７０８、ホール輸送層７１０、エミッタ層７１２、たとえば、カラミチック蛍光物質またはカラミチック母材に溶解された異方性蛍光発光物質の分子核７１４（端部側）を含む。エミッタ層７１２はガラス相またはガラス製ポリマーに化学的に架橋されたカラミチック分子核のいずれかを含む。エミッタ層７１２中のカラミチック分子の配列は、下層のホール輸送層７１０の表面形状効果との相互作用によって達成される。カラミチック相の削ぎおよび曲げ弾性定数は分子を表面７１６の畝に平行になるように配向させるのが他の方向の配列よりもエネルギー的に望ましい。その結果、格子７０４の導入によってもたらされる形状効果を下記の複数の機能を提供するために利用する：１．  エミッタ層７１２の分子を配列し  ２．  エミッタ層７１２を通る光をフィードバックして、さらなる発光を刺激し  ３．  光を装置の外に垂直または実質的に垂直にカップリングする。発光層７１２に加えて、その他１以上の層（たとえば、ホール輸送層７１０、ホール注入層７０８、透明アノード７０６）もまた、格子構造７０４によりもたらされる形状効果によって均一に配列される液晶を用いた材料により作られる。これらのケースでは、エミッタ層７１２の配列は、一部にはエミッタ材料分子核と下層のホール輸送層７１０の中の配列された分子核との相互作用によりもたらされるテンプレート効果による。
【００３２】
図７の装置７００の利点は、配列層を使用する代わりに下層の形状効果との相互作用によって分子配列が達成されることである。したがって、配列層を含むことによる抵抗エネルギー損失を回避できる。
【００３３】
図７の装置７００はまた、電子輸送層７１８、電子注入層７２０、伝達性カソード構造７２２、偏光層７２４、および反射層７２６も含む。あるいは、装置７００は逆にして、カソード構造７２２がレリーフ構造を有する格子構造７００の上にまず組み立てられ、その格子から電子輸送層７１８および電子注入層７２０の層を通って上に伝播し、カラミチック液晶オーダーを有するエミッタ層７１２がレリーフ構造により配列されるようにしてもよい。図７の最後の層は直線偏光子７２８と帯域フィルタ７３０である。偏光子７２８は、その伝送軸を分子７１４の長軸と一致させ、それにより装置７００により発せられる偏光が偏光子７２８によって実質的に吸収されないように配列される。
【００３４】
本発明に基づくＯＬＥＤ装置はまた、他の適切な構造、層または要素のいずれも含むことができる。エミッタを配列させるために使用される表面形状効果を有する最近接層の間の層はすべて配列可能層である。１以上のフィードバック構造は光エミッタにより放射される光を装置の面の軸に沿ってフィードバックする。これによって光のフィードバックはエミッタ中の光の放射を促進する。あるいは、本発明に基づくＯＬＥＤ装置はエミッタを配列させるための配列層を含めて組み立てることもできる。
【００３５】
光エミッタは２つの電極間に挿入される。２つの電極の内の１つはカソードであり、２つの電極の内のもう１つはアノードである。カソードは光エミッタ中への電子の注入を促進する材料で作られる。アノードはインジウム−すず酸化物など、エミッタ中へのホールの注入を促進する透明な導電性材料で作られる。あるいは、形状効果によって光エミッタ分子の配列をもたらすものであれば付加的な層を光エミッタと電極の間に挿入することもできる。たとえば、そうした付加的な層は光エミッタ中への電荷キャリアの注入を容易にするか、電荷キャリアを注入部位から光エミッタ中の望ましい放射領域に輸送するのを容易にする材料で作られる。光エミッタと表面形状の間の層が配列可能であれば、光エミッタ分子を均一に配列するためにテンプレート効果が利用される。配列可能な材料としては、下記に限らないが、ネマチック、スメクチックおよびヘキサチック相などカラミチック液晶相を有する物、および長い分子軸を配列できるようにせん断または処理されたポリマー性材料などがある。
【００３６】
図７に示したようなフィードバック構造は、装置の面の軸に沿って屈折率の周期的な振動を有する。この指標振動を含む装置の層は少なくとも部分的にエミッタ層により発せられる光の通路にあり、かつ指標振動の発生に沿った軸に平行な装置の面を通る。この平行な構成物の振動する屈折率を有する材料を通り抜ける光の散乱角度は下記式１で与えられる。
ｓｉｎθ＝（κ−ν）／κ・・・・・（式１）
式中、
θ＝装置の面の法線と散乱方向の間の角度
κ＝散乱光の波数、
ν＝屈折率振動の空間周波数
κおよびνの適切な選択により、構造物からの望ましい散乱光が得られる。たとえば、ν＝２κを選択すれば、θは−９０°になり、一次元格子の（１００）平面に直角に散乱する光となる。これによって望ましいフィードバック構造が得られる。なぜならば、構造物と相互作用する光の一部がストレートに反射される一方、残りの光がストレートに前方に進み続けるからである。そうしたフィードバック構造は、空間時間が放射される光の波長の１／２に等しい屈折率振動を持つということになる。
【００３７】
フィードバック構造により装置の面に引き込まれる光の部分、ならびにカップリング層により装置から引き出される光の部分は、装置にフィードバックされる光と装置から引き出される光の間に適切なバランスを与えるよう選択される。もし多すぎる光が装置から引き出され、少なすぎる光が装置の面にとどまると、励起放射を支える光が不十分となって装置の放射輝度が低くなり望ましくない。逆に、少なすぎる光が装置から引き出され、多すぎる光が装置の面にとどまると、光はその経路にある吸収材料と散乱構造の中を何回も通過することになり、装置全体の放射輝度が低減するほど吸収およびその他の損失が大きくなる。
【００３８】
あるいは、前述のように、本明細書で述べたものに加えて他の分布型フィードバック構造も使用できる。その他のＯＬＥＤ構造物は図に示したＯＬＥＤ構造物に置き換えることができる。非ＯＬＥＤ構造物は図に示したＯＬＥＤ構造物に置き換えることができる。これらのＯＬＥＤ構造物は、バソクプロイン（２，９−ジメチル−４，７−ジフェニル−１，１０−フェナンスロリン）または他の適切な材料のホール遮断層などの追加の層を含んでもよい。遮断層は米国特許第６，４５１，４１５号および第６，０９７，１４７号に議論されている。
【００３９】
本明細書の格子はさまざまな方法およびさまざまな材料で作ることができる。たとえば、これらの格子は複数（たとえば、２本）ビーム干渉法またはその他の適当な方法により、電子ビームを用いて書いて作られる。そうした格子はまず最初にフォトレジストまたはその他の適当な材料上に格子を書き、次に型押し法またはその他適切な方法により格子を複製することにより大量生産できる。一時に複数のコピーを作る場合は、コンパクトディスクの複製に使用されたり、クレジットカードや紙幣に使用される安全ホログラムなどのポリマー基板をマスターレリーフ構造として使用することにより達成できる。マスターレリーフ構造上のレリーフ構造は、たとえば電気メッキまたは真空蒸着により、プレス複製用スタンプ、または射出成形金型として使用できる金属シム上に転写される。あるいは、ガラス上のさらなるフォトレジスト層への接触コピーや、ガラスへのフォトレジストのエッチングが、ガラス中にレリーフ構造を作るのに利用できる。フォトレジストやガラスに加えて、格子はポリカーボネート、ポリウレタンなどのポリマー性材料、またはその他適切な材料から作ることができる。
【００４０】
２ビーム干渉法を用いると、波長・のレーザーからの平行ビームは角度θにおいてλ＝２ｐ  ｓｉｎ（θ／２）で干渉する（ｐは格子の望ましいピッチ）。フォトレジストの露出と現像は、レリーフ構造の深さをコントロールするために変える。２つ以上の異なるピッチの格子が要求される場合、同一のフォトレジスト上に２つの別の露出を行うことにより格子を重ね焼きすることができる。
【００４１】
光エミッタは光を放射する発色団を有するポリマーから形成される。例示的発色団としては、フルオレン、ビニレンフェニレン、アンスラセンおよびペリレンなどがある。さらなる例示発色団は、Ａ．  Ｋｒａｆｔ，  Ａ．  Ｃ．  Ｇｒｉｍｓｄａｌｅ  ａｎｄ  Ａ．  Ｂ．  Ｈｏｌｍｅｓ，  Ａｎｇｅｗ．  Ｃｈｅｍ．  Ｉｎｔ．  Ｅｄ．  Ｅｎｇ．［１９９８］，  ３７，  ４０２に記述されている。
【００４２】
発光性材料の反応性メソゲン（モノマー）は、典型的には４００−２，０００の分子量を有する。低分子量モノマー類は粘度が低くスピンコーティング特性がよく、かつアニーリング時間が短くて処理しやすくなることから有利である。発光性ポリマーは典型的には４，０００以上、典型的には４，０００−１５，０００の分子量を有する。これらの発光ポリマーは、典型的には５−５０、好ましくは１０−３０のモノマー単位を含む。
【００４３】
ポリマーは重合法により作られる。そうした製造法としては、メソゲンの適切な末端基の光重合または熱重合による反応性メソゲンの重合（例、液体結晶相中で）がある。その他の適切な重合法も使用できる。重合処理では架橋が起こり、架橋ネットワークが生まれる。
【００４４】
重合処理はスピンコーティング法など適切な沈着処理による反応性メソゲンの沈着後にｉｎ−ｓｉｔｕで行ない、光学活性末端基を有する反応性メソゲンの光重合により作ることができる。
【００４５】
適切な反応性メソゲンは下記の一般的な構造を有する。
Ｂ−Ｓ−Ａ−Ｓ−Ｂ・・・・・（一般式１）
式中、Ａは少なくとも発色団、芳香族分子核、複素環芳香族分子核、または共役ｐｉ電子結合を有する強固な分子核であり、Ｓはスペーサ、Ｂはラジカル光重合に敏感な末端基である。
【００４６】
重合によって通常、架橋ポリマー骨格によってスペースを有する発色団配列（たとえば、単軸配列）を含む発光性ポリマーが得られる。図５は略図的にこのプロセスを示したもので、反応性モノマー５１０が架橋リンク５２２、ポリマー骨格５２４およびスペーサ５２６要素を含む架橋ポリマーネットワーク５２０を形成する。
【００４７】
適切なスペーサ（Ｓ）類としては、たとえば反応性の高い脂肪族、アミンまたはエーテル結合などの不飽和有機鎖などが含まれる。スペーサ基の存在は溶解性を高め、発光性ポリマーの溶融点を下げてスピンコーティングを助ける。
【００４８】
適切な末端基は、光重合（たとえば、ＵＶ照射、一般的に非偏光のＵＶ照射を用いる方法）に敏感なものである。重合としては、ラジカル重合ステップによって環状物質を形成する環化重合などが用いられる。
【００４９】
重合処理法は一般式１の反応性メソゲンにＵＶ照射して下記に示す一般式を持つ最初のラジカルを形成することを含む。
Ｂ−Ｓ−Ａ−Ｓ−Ｂ●．・・・・・（一般式２）
式中、Ａ、ＳおよびＢは前述の規定通りであり、Ｂ●はラジカル化した末端基で、他のＢ末端基と反応可能なもの（特に環状物質を形成するため）である。Ｂ●ラジカル末端基には重合処理が立体的にコントロールされるように結合されたラジカルなどが含まれる。
【００５０】
適切な末端基としては、１，４、１，５および１，６ジエンなどのジエン類が含まれる。ジエンの機能は脂肪族結合により分離されるが、エーテルおよびアミン結合などの不活性結合を利用することもできる。
【００５１】
ジエン末端基を用いることにより、光反応開始ステップ後に形成されるラジカル類の高活性度が、メタクリレート末端基の場合と比べて低い光劣化速度をもたらし、かつ環化重合をもたらす。
【００５２】
この環化重合は分子内および分子間の連鎖的な伝播により行われる：すなわち、まずフリーラジカルとジエン基の第２二重結合との反応によりリング構造が形成される。二重環は環化重合によって得られるが、これが特に強固な骨格を与える（強固な骨格は縮みを最小化もしくは排除する）。この反応は一般的に立体的にコントロールされる。
【００５３】
例示的反応性メソゲンは下記の一般式を持つ。
【００５４】
【化１】
2007503091.tif 000003
【００５５】
式中、Ｒは一般式Ｘ−Ｓ２−Ｙ−Ｚを有し、
ＸはＯ、ＣＨ２またはＮＨ、好ましくはＯであり、
Ｓ２は直鎖または分岐アルキル、またはアルケニル鎖であり、任意に２分子（たとえば、Ｏ、ＳまたはＮＨ）を含み、
ＹはＯ、ＣＯ２またはＳであり、
Ｚはジエン（末端基）である。
【００５６】
たとえば、Ｒは下記式から選択され、
【００５７】
【化２】
2007503091.tif 000004
【００５８】
式中、Ｒを有する化合物は、透明点（Ｎ−−Ｉ）が７９−１２０℃のネマチック相を示す。
【００５９】
光重合処理は室温で行うことができ、それによって反応性メソゲンまたはポリマー物質の熱劣化を抑制または最小化する。さらに、形成されたポリマーのリソグラフ手段による次のサブピクセル化は光重合により行うことができる。
【００６０】
重合処理に先だって、反応性メソゲンのドーピングなどのさらなるステップが行われる。考え得るドープ剤としては、反応性メソゲンと共重合できるさらなる反応性モノマーがある。このモノマーは他の配列可能層を提供するために使用される。これらの層の調製法に関するさらなる情報は米国特許公報第２００３／００２７０１７号に見られる。
【００６１】
反射性電極または反射性裏打ち材を含み、偏光を放射するＯＬＥＤはすべて本発明のＯＬＥＤとして使用できる。偏光を放射する反射性電極または反射性裏打ち材を含まないＯＬＥＤもすべて本発明のＯＬＥＤとして使用できる。
【００６２】
特定の機能を有する膜、層などは、それらに相当する非膜（ｎｏｎ−ｆｉｌｍ）、非層（ｎｏｎ−ｌａｙｅｒ）代替物と置き換えることもできる。たとえば、ワイヤ格子の偏光子を偏光性の膜または層に置き換えることができる。
【００６３】
本発明は、直視装置とシステム、背面投影システム、前面投影システム、その他の視覚装置とシステム、映像を実質的に拡大しない１対１の投影ディスプレイ、前面または背面投影システムとして映像を拡大してスクリーンで見るディスプレイシステム、追加の視覚スクリーンなしに光学機器を通して映像を拡大して直接見るシステム、分割されたディスプレイおよび装置、単一ピクセルのディスプレイおよび装置、映像が映し出されない装置およびシステムに適用することができる。
【００６４】
本発明のいくつかの実施形態とその利点を詳細に説明してきたが、それらの変更、代替、変換、修正、変形、置換および改変は、本発明の教示と付帯請求項により示される本発明の精神と範囲を逸脱しない範囲において行われるものとする。
【図面の簡単な説明】
【００６５】
本発明を下記の図面を参照しながら詳細に説明するが、同じ参照番号は同様の子を示す。
【図１】直線偏光子と帯域フィルタを備えた例示的装置を示す。
【図２】直線偏光子と帯域フィルタを組み合わせた例示的ＯＬＥＤを示す。
【図３】第１実施形態の表面形状効果によって配列された発光分子を示す。
【図４】第２実施形態の表面形状効果によって配列された発光分子を示す。
【図５】液晶の配列が液晶光配列層を用いることにより達成される本発明の別の実施形態を示す。
【図６】直線偏光子と帯域フィルタにより改善された視認特性を有するフィードバック強化ＯＬＥＤ装置を含む本発明の別の実施形態を示す。
【図７】直線偏光子と帯域フィルタを含む本発明の別の実施形態を示す。
【図８】架橋ポリマーネットワークを形成するための反応性モノマーの重合を略図的に示す。
【図９】光分散要素と帯域フィルタの組み合わせを含む背面投影テレビジョンスクリーンシステムを示す。
【図１０】偏光子／帯域フィルタ／光分散要素の合体物を含む背面投影テレビスクリーンシステムを示す。
【図１】
2007503091.tif 000005
【図２】
2007503091.tif 000006
【図３】
2007503091.tif 000007
【図４】
2007503091.tif 000008
【図５】
2007503091.tif 000009
【図６】
2007503091.tif 000010
【図７】
2007503091.tif 000011
【図８】
2007503091.tif 000012
【図９】
2007503091.tif 000013
【図１０】
2007503091.tif 000014
【国際調査報告】
2007503091.tif 000015
2007503091.tif 000016